(57)【要約】【課題】本発明の課題は、操縦席を挟む左右両側部に左右独立した薬液タンクを配置するものにおいて、車体フレームに対するタンクベースの安定した強固な支持構成が得られ、着脱も容易に行えるタンクの支持装置を具現する。【解決手段】操縦席８を挟む左右両側部に左右独立した薬液タンク９，９を配置し、左右の薬液タンク９，９を載置する受け台１０，１０と、この受け台１０，１０の下方に位置して車体フレーム２に固着したタンクベース１１，１１とを、該受け台１０とタンクベース１１間に所定の空間を形成すべく上下方向の縦フレーム１２，１３を介して連結支持させてあることを特徴とする散布作業車の薬液タンクの構成とする。【選択図】図２
2009240166.tif 000002
【特許請求の範囲】
【請求項１】
操縦席（８）を挟む左右両側部に左右独立した薬液タンク（９），（９）を配置し、左右の薬液タンク（９），（９）を載置する受け台（１０），（１０）と、この受け台（１０），（１０）の下方に位置して車体フレーム（２）に固着したタンクベース（１１），（１１）とを、該受け台（１０）とタンクベース（１１）間に所定の空間を形成すべく上下方向の縦フレーム（１２），（１３）を介して連結支持させてあることを特徴とする散布作業車の薬液タンク。
【請求項２】
前記左右のタンクベース（１１），（１１）は、操縦席（８）を支持するシート支持部材（１６）と支持ブラケット（１７）を介して連結保持させてあることを特徴とする請求項１記載の散布作業車の薬液タンク。
【発明の詳細な説明】
【技術分野】
【０００１】
この発明は、散布作業車に装備する薬液タンクの支持装置に関する。
【背景技術】
【０００２】
従来、散布作業車に装備した薬液タンクは、特許文献１に示されているように、操縦席を挟む左右両側部と操縦席の後部を取り囲むように平面視でコの字型に構成され、走行車台に対し着脱自在に装着支持された構成のものが知られている。
【特許文献１】特開２００５−８７０２６号公報
【発明の開示】
【発明が解決しようとする課題】
【０００３】
本発明の課題は、操縦席を挟む左右両側部に左右独立した薬液タンクを配置するものにおいて、車体フレームに対するタンクベースの安定した強固な支持構成が得られ、着脱も容易に行えるタンクの支持装置を具現することにある。
【課題を解決するための手段】
【０００４】
この発明は、上記課題を解決すべく次のような技術的手段を講じた。
すなわち、請求項１記載の本発明は、操縦席（８）を挟む左右両側部に左右独立した薬液タンク（９），（９）を配置し、左右の薬液タンク（９），（９）を載置する受け台（１０），（１０）と、この受け台（１０），（１０）の下方に位置して車体フレーム（２）に固着したタンクベース（１１），（１１）とを、該受け台（１０）とタンクベース（１１）間に所定の空間を形成すべく上下方向の縦フレーム（１２），（１３）を介して連結支持させてあることを特徴とする散布作業車の薬液タンクとしたものである。
操縦席（８）の左右両側に左右独立した薬液タンク（９），（９）を配置するものにおいて、左右の薬液タンクを載置する受け台（１０）と車体側フレーム（２）に装着支持させたタンクベース（１１）とは、その前後位置及び左右位置において上下方向の縦フレーム（１２）及び（１３）を介して剛体的に連結保持され、強固で安定した支持構造が得られる。
【０００５】
また、受け台（１０）とタンクベース（１１）との間には所定の空間が保持されるので、受け台（１０）に対するタンク９の着脱、例えば、締付バンドなどによる取り付け取り外しがその空間を通して容易に行える。
【０００６】
請求項２記載の本発明は、前記左右のタンクベース（１１），（１１）は、操縦席（８）を支持するシート支持部材（１６）と支持ブラケット（１７）を介して連結保持させてあることを特徴とする請求項１記載の散布作業車の薬液タンクとしたものである。
【０００７】
左右のタンクベース（１１），（１１）は、車体に対して強固に保持されたシート支持部材（１６）によっても連結保持されるので、取り付けが安定し強固な支持構造が得られる。
【発明の効果】
【０００８】
以上要するに、請求項１の本発明によれば、タンク受け台と車体フレーム側に装着支持されたタンクベースとが上下方向の縦フレームによって剛体的に枠組構成され、強固で安定した支持構造が得られる。また、受け台とタンクベースとの間には所定の空間が保持されているので、受け台に対するタンクの着脱が容易に行える効果がある。
【０００９】
請求項２の本発明によれば、請求項１の発明効果を奏するものでありながら、左右のタンクベースは、車体に対して強固に保持されたシート支持部材によって連結保持されるので、車体側フレームに対するタンクベースの取り付けが安定し強固なものとなる。
【発明を実施するための最良の形態】
【００１０】
この発明の実施例を図面に基づき説明する。
図１は、薬液散布用の散布作業車１を示すものであり、車体フレーム２の前後左右両側には前輪３，３と後輪４，４が架設されていて、車体フレーム２の前部には、中央のセンタブーム５Ｃ、左右のサイドブーム５Ｌ，５Ｒからなる散布装置５が設けられている。ボンネット６内部にエンジンＥを搭載し、このエンジンＥの回転動力をミッションケース内の変速装置に伝え、この変速装置で減速された回転動力を前輪３及び後輪４とに伝えるようにしている。エンジンＥの後方に前輪３，３を操舵するステアリングハンドル７が装備され、更に、その後方には操縦席８が設置されている。
【００１１】
操縦席８を挟む左右両側には、左右に独立した薬液タンク９，９が配置され、受け台１０上に載置されている。受け台１０の下方には所定間隔を開けてタンクベース１１が設置され、車体フレーム２に装着支持されている。前記受け台１０とタンクベース１１とは、上下方向に立設する前後左右４本の縦フレーム１２Ｉ，１２Ｕ及び１３Ｉ，１３Ｕを介して剛体的に連結保持されている。
【００１２】
タンクベース１１の前部側の固定は、操縦席８側の縦フレーム１２Ｉ，１２Ｉと車体フレーム２をコの字型連結具１４及び取付金具１５を介して連結保持している。コの字型連結具１４は、先端にコ型保持部１４ａを有し基端にナット１４ｂ付き螺子部１４ｃを有した構成になっており、コ型保持部１４ａを前記縦フレーム１２Ｉ，１２Ｉに係合保持させ、螺子部１４ｃを車体フレーム２側の取付金具１５に挿通支持させてナット１４ｂにより締付固定する構成としている。
【００１３】
また、タンクベース１１の後部側の固定は、車体側から突設された操縦席８を装着支持するシート支持部材１６に支持ブラケット１７を介して連結保持させた構成としている。支持ブラケット１７はシート支持部材１６に対しボルト１８にて締付固定する構成であり、タンクベースを機体より取り外す際は、このボルト１８を緩めるだけでシート支持部材より分離できるようになっている。左右のタンクベース１１，１１の前端部はループ状の連結部材１９によって強固に連結保持してある。このループ状連結部材１９は、オペレータが乗降する時に邪魔にならないように操縦席８の足元近くに配設している。
【００１４】
受け台１０に対する薬液タンクの固定は、締付具２０ａを有する締付バンド２０によって締付固定する構成であり、タンクの上面、左右側面及び受け台の下側を通して巻き付けて締付固定する。
【００１５】
前記シート支持部材１６の上方には、サンバイザ用支持ポスト２１が上向きに突設され、サンバイザ２２を差し込んで固定するようになっている。支持ポスト２１の上端は左右のタンク上面よりも上方に高く位置させてあり、サンバイザ２２の折畳み操作部２２ａを操作する時、手や肘がタンクと干渉しないように配置構成している。
【００１６】
また、図６に示すように、操縦席８の左右両側に左右独立した薬液タンク９，９を配置するものにおいて、この左右タンク９，９が機体中心に向って傾斜するように構成することによって、機体の中心側に薬液の重量がかかり易くなり、機体の左右バランスが改善される。また、タンク底部の低い側に吸水口２５を設けることで、吸水ホース２６を短くできるばかりでなく、残液の排出も完全排出が可能となる。タンク９を載せる受け台１０は、機体中心側、即ち操縦席側が低くなるように傾斜しているが、操縦席側の縦フレーム１２Ｉ，１３Ｉを受け台１０の低い側端部より上方に突出させることで、薬液タンクの下り傾斜側へのズレ（滑り）を防止する構成としている。
【００１７】
左右のタンク９，９に連通する吸水ホース２６は、途中部より分岐して一本化し防除ポンプへ配管することで、左右のタンク高さが同じである配置においては、配管がシンプルで合理的な配管構成となる。
【００１８】
なお、上記図６において、機体後方部には、カルチロータリ２８及びカルチ同時散布装置２９が備えられている。カルチロータリによる中耕除草作業を行いながら散布装置によりタンク９内の薬液を同時散布することができる。
【００１９】
図７に示す実施例は、左右のタンク９，９に加えて防除タンク３０を操縦席８の背部側に配置した場合の構成例を示し、該タンク３０の前部に操縦席幅に対応する凹部３１を設け、操縦席後部の一部が凹部３０内に介入位置するよう配置している。操縦席後方部は、タンクの凹部によって余裕のスペースが確保され、サンバイザの支持ポスト２１が配置し易くなる。
【図面の簡単な説明】
【００２０】
【図１】散布作業車の側面図
【図２】同上要部の拡大側面図
【図３】散布作業車の側面図
【図４】散布作業車の平面図
【図５】同上要部の背面図
【図６】散布作業車の別実施例の背面図
【図７】散布作業車の別実施例の平面図
【符号の説明】
【００２１】
２    車体フレーム
８    操縦席
９    薬液タンク
１０    受け台
１１    タンクベース
１２    縦フレーム（前）
１３    縦フレーム（後）
１６    シート支持部材
１７    支持ブラケット
２０    締付バンド
【図１】
2009240166.tif 000003
【図２】
2009240166.tif 000004
【図３】
2009240166.tif 000005
【図４】
2009240166.tif 000006
【図５】
2009240166.tif 000007
【図６】
2009240166.tif 000008
【図７】
2009240166.tif 000009